(57)【特許請求の範囲】
【請求項１】
胴部６より口頚部７を起立した容器体２と、口頚部外周に嵌合させた嵌合筒９を頂板10裏面より垂設するとともに、頂板10中央部に基端を開口して容器体内へ連通するノズル11を上方へ立設してなるキャップ本体３と、頂板10後部に薄肉ヒンジ17を介して後部下端を連結してキャップ本体上面を開閉可能に設けるとともに、前部をキャップ本体前部に係止可能に構成した蓋体４とを備えてなる滴下容器であって、ノズル11の外面を被覆して嵌着し、且つ上面中央にノズルの注出口ａに連通する注出用透孔a1を穿設した筒状部23と、該筒状部23後部下端縁より後方へ延設するとともに、頂板10上面から薄肉ヒンジ17上面を介して該ヒンジと連続する開蓋状態の蓋体４底面に至る帯状部24とからなり、且つ、柔軟で弾力性に富む材質により形成された弾性部材５を設けてなることを特徴とする滴下容器。
【請求項２】
上記帯状部24の先端部を、開蓋状態の蓋体４内面まで延設してなる請求項１記載の滴下容器。
【請求項３】
上記ノズル11外周面を凹凸面ｂに形成するとともに、該凹凸面と密接嵌合する凹凸面ｃに筒状部23内周面を形成してなる請求項１記載の滴下容器。
【発明の詳細な説明】
【０００１】
【発明の属する技術分野】
本発明は滴下容器に関し、詳しくは、収納した液体を滴下分取可能に設けた滴下容器に関する。
【０００２】
【従来の技術】
収納液を少量ずつ滴下分取して使用する滴下容器として、例えば、目薬容器等が挙げられるが、これらは、口頚部を起立するとともに、口頚部先端にノズルを嵌着してなる容器体と、口頚部外周に周壁を嵌合させた周壁上端縁より頂壁を延設して着脱自在に装着したキャップとからなるものが極一般に知られている。
【０００３】
これら容器では、口頚部外周に螺着或いは突条相互の乗り越え係合により嵌合係止させてキャップを装着しており、キャップを外してノズルを注出対象物に向け、胴部を圧搾する等して液を滴下する如く構成している。
【０００４】
【発明が解決しようとする課題】
従来の容器のうちキャップを螺着させているものは、何回も回動させなければならない等その着脱が面倒であり、また、外したキャップを手に持って液を滴下しなければならない煩わしさもあり、それを何処かに置いておいて紛失する虞もある。
【０００５】
また、キャップを突条相互の乗り越え係合により嵌合係止させる如く構成したものでは、螺着の場合と比較してキャップの着脱が容易ではあるが、この場合、容器体胴部をもってキャップを引っ張る様に抜くため胴部に力が入り、キャップが外れた途端に液が注出口より漏出してしまうという様な不都合を生じる場合がある。また、同様に外したキャップを手に持って液を滴下しなければならず、紛失の虞も同様にある。
【０００６】
本発明はこの様な点を考慮してなされたもので、キャップの着脱が簡単に行えるとともに、その紛失の虞もなく、また、キャップを外した際に誤って液を漏出する等の不都合を生じる虞もなく、使勝手の極めて良い滴下容器を提案するものである。
【０００７】
【課題を解決するための手段】
本発明滴下容器は上記課題を解決するため、胴部６より口頚部７を起立した容器体２と、口頚部外周に嵌合させた嵌合筒９を頂板10裏面より垂設するとともに、頂板10中央部に基端を開口して容器体内へ連通するノズル11を上方へ立設してなるキャップ本体３と、頂板10後部に薄肉ヒンジ17を介して後部下端を連結してキャップ本体上面を開閉可能に設けるとともに、前部をキャップ本体前部に係止可能に構成した蓋体４とを備えてなる滴下容器であって、ノズル11の外面を被覆して嵌着し、且つ上面中央にノズルの注出口ａに連通する注出用透孔a1を穿設した筒状部23と、該筒状部23後部下端縁より後方へ延設するとともに、頂板10上面から薄肉ヒンジ17上面を介して該ヒンジと連続する開蓋状態の蓋体４底面に至る帯状部24とからなり、且つ、柔軟で弾力性に富む材質により形成された弾性部材５を設けてなることを特徴とする滴下容器として構成した。
【０００８】
また、請求項２発明の容器は、上記帯状部24の先端部を、開蓋状態の蓋体４内面まで延設してなる請求項１記載の滴下容器として構成した。
【０００９】
また、請求項３発明の容器は、上記ノズル11外周面を凹凸面ｂに形成するとともに、該凹凸面と密接嵌合する凹凸面ｃに筒状部23内周面を形成してなる請求項１記載の滴下容器として構成した。
【００１０】
【発明の実施の形態】
以下、本発明の実施例の形態を図面を参照して説明する。
本発明の滴下容器１は、容器体２と、キャップ本体３と、蓋体４と、弾性部材５とを備えている。
【００１１】
容器体２は、合成樹脂等により形成されたもので、筒状の胴部６より縮径した口頚部７を起立して構成している。図示例では、前後方向に長い矩形筒状の胴部６の上端中央より円筒状の口頚部７を起立させ、口頚部７外周上下方向中央部にキャップ本体３を係止するための係止突条８を周設している。
【００１２】
キャップ本体３も合成樹脂等により形成されたもので、口頚部７外周に嵌合させた嵌合筒９を頂板10裏面より垂設するとともに、頂板10中央部に基端を開口して容器体内へ連通するノズル11を上方へ立設している。
【００１３】
図示例では、嵌合筒９内周面下端部に突設した係合突条12を上記係止突条８に乗り越え係合させて、嵌合筒９を口頚部７外周に抜け出し不能に嵌合させている。また、頂板10中央部のノズル11基端部と上端を連通するシール筒13を下方に垂設し、その外周面を口頚部７内周面に密嵌させることにより、この部分からの液漏れを防止する如く構成している。更に頂板10は、容器体胴部６の平面形状と同様の前後方向に長い矩形状をなしており、その上面前部には、蓋体４を係止して閉蓋状態を維持させるためのフック14を立設している。また、頂板10の周縁部からは容器体胴部６の上面周縁部位置に矩形筒状の周壁15を垂設しており、周壁15の前面上部には指掛け用の凹部16を形成している。
【００１４】
蓋体４も合成樹脂等により形成したもので、キャップ本体の頂板10の後部に薄肉ヒンジ17を介して後部下端を回動可能に連結してキャップ本体上面を開閉可能に設けるとともに、前部をキャップ本体前部に係止可能に構成している。図示例では、上記頂板10上面周縁部に底面を当接する中空蒲鉾状に形成し、その頂板部18裏面中央より垂設した棒栓19により注出口ａを液密に閉塞する如く構成している。また、周壁部20前部内面には上記フック14と乗り越え係合する係合突起21を突設して閉蓋状態を維持可能に構成しており、周壁部20前面下端中央より、上記指掛け用の凹部16上方に臨む指掛け突起22を突設している。また、蓋体４はキャップ本体３と合成樹脂により一体に成形すると良く、その場合、図示例の如く、開蓋状態で且つその底面がキャップ本体頂板10上面と同一平面状にある如く形成すると良い。
【００１５】
弾性部材５は、エラストマー等の柔軟で弾力性に富む材質で形成されたもので、ノズル11の外面を被覆して嵌着し、且つ上面中央にノズルの注出口ａと連通する注出用透孔a1を穿設した筒状部23と、該筒状部後部下端縁より延設するとともに、頂板10上面から薄肉ヒンジ17上面を介して該ヒンジと連続する開蓋状態の蓋体底面に至る帯状部24とから構成している。
【００１６】
この弾性部材５を設けることにより、閉蓋係止状態の蓋体４の係止を解除すると自動的に開蓋し、また、目薬容器として使用した場合、一般に比較的固く形成されているノズルからの眼の保護を行える如く構成している。
【００１７】
この弾性部材５の帯状部24先端は上記した如く、少なくとも開蓋状態の蓋体底面まで延設していれば用をたせるが、図示例の如く、開蓋状態の蓋体内面まで延設すると、蓋体の開蓋状態をより安定的に維持できる。この場合、蓋体内面に当接する先端部は曲がった状態で形成すると良い。
【００１８】
また、弾性部材５をより確実に固定する目的で、ノズル11外周面を凹凸面ｂに形成するとともに、該凹凸面と密接嵌合する凹凸面ｃに筒状部23内周面を形成すると良い。
【００１９】
上記の如く構成した容器を使用する場合に付いて説明すると、まず、図２に示す状態から指でフック14と係合突起21との係合を解除すると、弾性部材５の帯状部24の弾性復元力により蓋体４が開き、次いで胴部６を圧搾する等して点眼を行う。使用後は、蓋体４を閉じて係合突起21をフック14に乗り越え係合させれば、帯状部24は図２の元の状態に弾性変形して閉蓋状態を維持する。
【００２０】
【発明の効果】
以上説明した如く、本発明容器は、既述構成としたことにより、例えば、蓋体前部の係合を解除するという簡単な操作で自動的に開蓋して液の滴下を行え、従来容器の如くキャップを持って行う煩わしさもなく、また、キャップを紛失する等の不都合を生じることもなく、使用上すこぶる便利である。
【００２１】
また、開蓋の際胴部を強く握らなくても行えるため、不必要に胴部を圧搾して液の漏出を生じる虞はない。
更に、本発明容器を目薬用容器として使用すれば、弾性部材の筒状部の存在で、従来比較的固く形成されていたノズルをカバーして、点眼時の眼の保護を行えるものである。また、弾性部材は簡単な構造で、従来のこの種の容器に嵌着することにより容易に取り付けられて上記機能を発揮できるものであり、製造上の煩雑さがなく得られるという利点も兼ね備えている。
【００２２】
また、帯状部の先端部を、開蓋状態の蓋体内面まで延設してなるものにあっては、開蓋時の蓋体をより確実に固定させておくことができ、液の滴下時に蓋体がふらふらする等の不都合をより解消し、より液の滴下を行い易くできるものである。
更に、ノズル外周面を凹凸面に形成するとともに、該凹凸面と密接嵌合する凹凸面に筒状部内周面を形成したものにあっては、単純に嵌着固定しただけの弾性部材をより確実に固定させることができ、度重なる蓋体の開閉を行っても、弾性部材が外れる等の不都合を極力防止できるものである。
【図面の簡単な説明】
【図１】本発明の一実施例を示す一部切欠き側面図である。
【図２】同実施例の閉蓋状態の一部切欠き側面図である。
【図３】同実施例の斜視図である。
【符号の説明】
２…容器体，３…キャップ本体，４…蓋体，５…弾性部材，６…胴部，
７…口頚部，９…嵌合筒，10…頂板，11…ノズル，17…薄肉ヒンジ，
23…筒状部，24…帯状部，ａ…注出口，a1…注出用透孔，ｂ…凹凸面，
ｃ…凹凸面
【図１】
0003740629.tif 000002
【図２】
0003740629.tif 000003
【図３】
0003740629.tif 000004